(57)【特許請求の範囲】
【請求項１】
アクセスポイントに対する接続ポリシを端末に配布して当該アクセスポイントへの端末の接続を制御可能なアクセス選択手段を具備する第１の無線通信網と契約している端末が、第１の無線通信網とは異なる第２の無線通信網のアクセスポイントに接続する場合の接続を制御する無線通信接続制御システムであって、
前記第２の無線通信網は、
端末が接続するためのアクセスポイントと、
前記アクセスポイントに関する情報であるＡＰ情報を収集して第１の無線通信網へ通知するＡＰ情報通知手段を少なくとも具備し、
前記第１の無線通信網は、
契約している端末に関する情報である加入者情報を蓄積・管理する加入者データベースと、
加入者データベース中の加入者情報および第２の無線通信網から通知されるＡＰ情報に基づいて個別のアクセスポイントを単位とする接続ポリシを端末毎に生成し、配布するアクセス選択手段とを少なくとも具備する
ことを特徴とする無線通信接続制御システム。
【請求項２】
前記端末は、第２の無線通信網のアクセスポイントの状況に応じて、第１の無線通信網から配布された接続ポリシを適用するか否かを判定する機能を少なくとも具備する
ことを特徴とする請求項１に記載の無線通信接続制御システム。
【請求項３】
前記接続ポリシを適用するか否かの判定は、第１の無線通信網から通知される第２の無線通信網のアクセスポイントに関する負荷状況を示す値に基づいて行う
ことを特徴とする請求項２に記載の無線通信接続制御システム。
【請求項４】
前記接続ポリシを適用するか否かの判定は、端末自ら実行する、周辺端末がアクティブスキャンを実施する際に送出するプローブ要求信号の観察の結果に基づいて行う
ことを特徴とする請求項２に記載の無線通信接続制御システム。
【請求項５】
前記接続ポリシを適用するか否かの判定は、第１の無線通信網から通知される第２の無線通信網のアクセスポイントに関する設置場所属性情報に基づいて行う
ことを特徴とする請求項２に記載の無線通信接続制御システム。
【請求項６】
前記接続ポリシは、
アクセスポイントへの接続可否、又は
アクセスポイントを発見してから接続するまでの遅延時間、又は
アクセスポイントに接続要求メッセージを送出する際の無線パラメータ、に関する情報のいずれかに１つを少なくとも含む
ことを特徴とする請求項１乃至５のいずれかに記載の無線通信接続制御システム。
【請求項７】
複数の第１の無線通信網とそれぞれ契約している端末が、第２の無線通信網のアクセスポイントに接続する場合において、
各第１の無線通信網のアクセス選択手段は、前記に加え、接続ポリシの生成に際して、第２の無線通信網のＡＰ情報通知手段に対してその可否を問い合わせる機能を有し、
第２の無線通信網のＡＰ情報通知手段は、前記に加え、各第１の無線通信網のアクセス選択手段からの接続ポリシ生成可否の問い合わせに対して、各第１の無線通信網の端末間の公平が維持される結果をもたらす回答を返却する機能を有する
ことを特徴とする請求項１乃至６のいずれかに記載の無線通信接続制御システム。
【請求項８】
第１の無線通信網は移動体通信網であり、第２の無線通信網は無線ＬＡＮである
ことを特徴とする請求項１乃至７のいずれかに記載の無線通信接続制御システム。
【請求項９】
アクセスポイントに対する接続ポリシを端末に配布して当該アクセスポイントへの端末の接続を制御可能なアクセス選択手段を具備する第１の無線通信網と契約している端末が、第１の無線通信網とは異なる第２の無線通信網のアクセスポイントに接続する場合の接続を制御する無線通信接続制御方法であって、
前記第１の無線通信網および第２の無線通信網が、端末が接続するためのアクセスポイントに関する情報であるＡＰ情報を収集するステップと、
第２の無線通信網が、前記収集したＡＰ情報を第１の無線通信網へ通知するステップと、
前記第１の無線通信網が、前記ＡＰ情報と、加入者データベース中の契約している端末に関する情報である加入者情報と、第２の無線通信網から通知されたＡＰ情報とに基づいて個別のアクセスポイントを単位とする接続ポリシを端末毎に生成し、配布するステップとを少なくとも含む
ことを特徴とする無線通信接続制御方法。
【発明の詳細な説明】
【技術分野】
【０００１】
本発明は、少なくとも２つの無線通信網、例えば移動体通信網（以下、移動網）と無線ＬＡＮに接続可能な端末が網への接続装置（以下、アクセスポイント：ＡＰ）に接続する場合の輻輳、特にスマートフォンなどの無線ＬＡＮ接続可能な端末の増加および公衆無線ＬＡＮ  ＡＰ（共用ＡＰを含む）の普及に伴い、例えば電車の到着に合わせて大量の端末が駅のホームの無線ＬＡＮ  ＡＰに接続しに行くなど、大量の端末がＡＰの通信圏内に到着した際に一斉に当該ＡＰへ接続・認証を試行することによる輻輳を回避する技術に関する。
【背景技術】
【０００２】
＜従来技術１：無線ＬＡＮ通信技術＞
端末がＡＰを経由して通信を行うときには、必ず最初に接続処理が必要であり、多くの場合、認証処理を伴う（非特許文献１参照）。
【０００３】
＜従来技術２：無線ＬＡＮ通信の衝突回避技術（ＣＳＭＡ／ＣＡ、ＤＣＦ）＞
無線ＬＡＮを用いて端末がパケット通信をする場合は、自律的にパケットの送受信を遅延させるＣＳＭＡ／ＣＡやＤＣＦといった技術によりパケットの衝突回避を行う（非特許文献２参照）。
【０００４】
＜従来技術３：端末の無線ＬＡＮ接続アプリケーション＞
端末が具備するアプリケーションソフトを予めユーザが設定することで、接続するＡＰの指定、時間帯や場所に基づく接続の有無を制御する（非特許文献３参照）。
【０００５】
＜従来技術４：３ＧＰＰ  ＡＮＤＳＦ＞
端末が契約している事業者である移動網事業者が主として管理するアクセス選択機能（ＡＮＤＳＦ）が、ＡＰに関する情報であるＡＰ情報（ＳＳＩＤやＢＳＳＩＤなど）およびＡＰに対する接続ポリシを端末に配布し、端末にＡＰへの接続を指示する（非特許文献４、５参照）。
【発明の概要】
【発明が解決しようとする課題】
【０００６】
従来技術１により無線ＬＡＮ  ＡＰに接続を行う場合、大量の端末が一つのＡＰに一斉に接続しようとする可能性がある（例えば、ＡＰが設置された駅のホームへの電車到着時など）。この場合、ＡＰおよびそれぞれの端末が送受信する無線区間の通信パケットが衝突・輻輳し、通信が困難になる。
【０００７】
このとき、ＣＳＭＡ／ＣＡ、ＤＣＦのような従来技術２により衝突を回避する技術があるが、ＡＰのキャパシティを大幅に超える端末・パケットが到着した場合、大幅にパフォーマンスが低下することが知られている。
【０００８】
一方、端末が検知したＡＰに闇雲に接続するのではなく、従来技術３に示す様にユーザによる端末の事前設定などに基づき、特定のＡＰに接続する／しないなどを定めておくことが出来るが、これらの操作についてユーザ負担となる点や、ユーザが予め認知しているＡＰについてのみしか設定できないという問題がある。
【０００９】
そこで、従来技術４のようにＡＮＤＳＦがＡＰ情報および接続ポリシを端末に配布する技術があるが、端末が契約している事業者が管理するＡＰのＡＰ情報のみしか反映出来ないという問題点があった。
【課題を解決するための手段】
【００１０】
本発明では、前記課題を達成するため、アクセス選択機能（ＡＮＤＳＦ）を活用した端末への無線ＬＡＮ接続ポリシ配布によりＡＰへの接続抑止や遅延設定を行い負荷軽減を図るのにあたって、以下の点を考慮したことを特徴とする。なお、以下の説明では、端末に対して接続ポリシを配布するアクセス選択機能を具備する網を移動網、具備しない網を無線ＬＡＮとして記述しているが、これに限らず、例えば双方の網がアクセス選択機能を具備し、それぞれ無線ＬＡＮ  ＡＰの情報を相互に交換し合うものであっても良い。
【００１１】
≪１≫無線ＬＡＮ事業者がＡＰ情報を収集して移動網事業者に提供し、移動網事業者が接続ポリシを生成して配布し、ＡＰへの接続抑止・遅延設定を行う。この際、全ての端末に対して一律にＡＰ接続抑止や遅延設定を行うと無線ＬＡＮの活用が出来ないので、ユーザ情報を加味して無線ＬＡＮを使わせる端末を決定することが望ましい。
【００１２】
≪２≫ＡＰの通信リソースを無駄にしないため、混雑していないＡＰに対する接続においては上記のような接続抑止や遅延設定を行わない。
【００１３】
≪３≫本取り組みは公平性の観点から各移動網事業者の端末間で足並みをそろえて実施する必要があるため、各移動網事業者のＡＮＤＳＦが接続ポリシを生成する際に調停を行う。
【００１４】
上記の点を考慮した本発明の構成技術は、下記の三点から成る。
≪構成技術１≫移動網事業者が管理するユーザ情報と無線ＬＡＮ事業者が収集したＡＰ情報とを組み合わせた、端末に対するＡＰ接続抑止・遅延設定の接続ポリシ適用
≪方式１−１≫接続抑止方式
≪方式１−２≫接続遅延時間設定方式
≪方式１−３≫無線パラメータ（ＣＷ：Contention Window）調整方式
≪構成技術２≫ＡＰの設置場所の属性情報、負荷状況に合わせた上記接続ポリシ適用の有無のコントロール
≪方式２−１≫ＡＰ報知ＢＬＥ（BSS Load Element）値方式
≪方式２−２≫端末によるＰｒｏｂｅ観察方式
≪方式２−３≫設置場所属性情報方式
≪構成技術３≫移動網事業者間での公平な接続ポリシ生成
≪方式３−１≫接続ポリシ生成許可調停方式
図１、図２、図３に構成技術１、２、３の概要をそれぞれ示す。以下、詳細に説明する。
【００１５】
≪方式１−１≫接続抑止方式
＞前提
−アクセス選択機能における接続ポリシ生成の動作シーケンスと、端末接続時の接続ポリシ適用の動作シーケンスについて、説明する。
【００１６】
−端末接続時の接続ポリシ適用の動作シーケンスにあたっては、≪構成技術２≫の適用の結果、接続ポリシを適用した無線ＬＡＮ  ＡＰ接続を行うことが決定済みであることを前提とする。
【００１７】
＞シーケンス：移動網内アクセス選択機能における接続ポリシ生成の動作（定期的な実行）
−ＳＴＥＰ１：アクセス選択機能は、無線ＬＡＮ内ＡＰ情報通知機能から、各ＡＰの［ＢＳＳＩＤ，設置場所種別，平均混雑率］のリストの通知を受ける。
【００１８】
−ＳＴＥＰ２：アクセス選択機能は、上記取得したリストおよび自移動網にて管理するユーザ情報を参照して、各ＡＰについて、ＡＰに対する接続を許可する端末を決定する。具体的な方法の例示は以下の通り。
【００１９】
・ＳＴＥＰ２−１：アクセス選択機能は、あるＢＳＳＩＤを有するＡＰについて、設置場所種別、平均混雑率に基づきＡＰに接続を許可する端末の比率を決定する（例：駅ホーム設置のＡＰは、接続許可端末比率は1/3とし、さらに平均混雑率（例えば70％）を乗算し、7/30を得る）。
【００２０】
・ＳＴＥＰ２−２：アクセス選択機能は、自網のユーザ情報を参照し、7/30の端末に対して当該ＡＰについての接続を許可する接続ポリシの生成を行う（例１：ユーザ情報を会員クラス（例えばゴールド・シルバー・ブロンズ…等）によりソートし、上位7/30のユーザについてＡＰ接続を許可する。例２：ユーザ情報を、月間通信上限容量と現在消費量との差の値でソートし、上限容量に逼迫している上位7/30のユーザについてＡＰ接続を許可する。）。
【００２１】
・なお、上記ＳＴＥＰ２−２、例１において、例えばゴールドユーザが全体の5/30、シルバーユーザが全体の8/30、ブロンズユーザが全体の17/30、という状況など、同一会員クラスの中でＡＰ接続を許可する端末、許可しない端末を決定しなければならない場合は、ランダムに選択する。例えば前記の例であれば、シルバーユーザ（全体の8/30）のうち、1/4の端末（全体の2/30）の端末に対して接続を許可する。
【００２２】
−ＳＴＥＰ３：アクセス選択機能は、上記ＳＴＥＰ２のように端末毎に決定した、図４に示すような接続ポリシを各端末に配布する。
【００２３】
＞シーケンス：端末接続時の接続ポリシ適用の動作
−ＳＴＥＰ１：端末は、≪構成技術２≫において接続ポリシ適用が決定したＡＰのＢＳＳＩＤをキーに、配布済み接続ポリシから接続可否を抽出する。
【００２４】
−ＳＴＥＰ２：上記ＳＴＥＰ１で抽出した接続可否がＹｅｓであれば、無線ＬＡＮ  ＡＰへの接続を実施し、本シーケンスを終了する。上記ＳＴＥＰ１で抽出した接続可否がＮｏであれば、無線ＬＡＮ  ＡＰへの接続は行わず、本シーケンスを終了する。
【００２５】
≪方式１−２≫接続遅延時間設定方式
＞前提
−アクセス選択機能における接続ポリシ生成の動作シーケンスと、端末接続時の接続ポリシ適用の動作シーケンスについて、説明する。
【００２６】
−端末接続時の接続ポリシ適用の動作シーケンスにあたっては、 ≪構成技術２≫の適用の結果、接続ポリシを適用した無線ＬＡＮ  ＡＰ接続を行うことが決定済みであることを前提とする。
【００２７】
＞シーケンス：移動網内アクセス選択機能における接続ポリシ生成の動作（定期的な実行）
−ＳＴＥＰ１：アクセス選択機能は、無線ＬＡＮ内ＡＰ情報通知機能から、各ＡＰの［ＢＳＳＩＤ，設置場所種別，平均混雑率］のリストの通知を受ける。
【００２８】
−ＳＴＥＰ２：アクセス選択機能は、上記取得したリストおよび自移動網にて管理するユーザ情報を参照して、各ＡＰについて、端末がＡＰを発見してから接続するまでの遅延時間を決定する。具体的な方法の例示は以下の通り。
【００２９】
・ＳＴＥＰ２−１：アクセス選択機能は、あるＢＳＳＩＤを有するＡＰについて、設置場所種別、平均混雑率に基づき端末に設定する遅延時間のリストを生成する（例１：設置場所が駅ホームの場合は、遅延時間のパターンを３つ設ける、商店であれば、遅延時間のパターンを２つ設ける。例２：平均混雑率10％以上20％未満、20％以上30秒未満…につき、最低遅延時間１秒、２秒、３秒…を設定し、遅延時間のパターンの数だけ最低遅延時間の倍数をセットする。例１と例２による処理において、例えば設置場所が駅ホームで平均混雑率が45％の場合、遅延時間のリストは４秒、８秒、１２秒となる。）。
【００３０】
・ＳＴＥＰ２−２：アクセス選択機能は、自網のユーザ情報を参照し、ＳＴＥＰ２−１で設けた遅延時間のパターンの数に端末のグループを分割し、それぞれのグループに対して遅延時間のリストから遅延時間を割り当てる（例１：ゴールド会員には４秒、シルバー会員には８秒、ブロンズ会員には１２秒の設定。例２：ユーザ情報を月間通信上限容量と現在消費量との差の値でソートし1/3ずつ分割、上位から４秒、８秒、１２秒の遅延を設定する。）。
【００３１】
−ＳＴＥＰ３：アクセス選択機能は、上記ＳＴＥＰ２のように端末ごとに決定した、図５に示すような接続ポリシを各端末に配布する。
【００３２】
＞シーケンス：端末接続時の接続ポリシ適用の動作
−ＳＴＥＰ１：端末は、≪構成技術２≫において接続ポリシ適用が決定したＡＰのＢＳＳＩＤをキーに、配布済み接続ポリシから接続遅延値を抽出する。
【００３３】
−ＳＴＥＰ２：端末は、接続遅延値に指定された時間だけ待機する。
【００３４】
−ＳＴＥＰ３：無線ＬＡＮ  ＡＰへの接続を実施し、本シーケンスを終了する。
【００３５】
≪方式１−３≫無線パラメータ（ＣＷ）調整方式
＞前提
−アクセス選択機能における接続ポリシ生成の動作シーケンスと、端末接続時の接続ポリシ適用の動作シーケンスについて、説明する。
【００３６】
−端末接続時の接続ポリシ適用の動作シーケンスにあたっては、≪構成技術２≫の適用の結果、接続ポリシを適用した無線ＬＡＮ  ＡＰ接続を行うことが決定済みであることを前提とする。
【００３７】
−ＣＷは、２＾ｎ−１の値をとり、上限は物理層に依存する（非特許文献２参照）。本明細書では、このｎの値をｎ値と呼ぶ。
【００３８】
＞シーケンス：移動網内アクセス選択機能における接続ポリシ生成の動作（定期的な実行）
−ＳＴＥＰ１：アクセス選択機能は、無線ＬＡＮ内ＡＰ情報通知機能から、各ＡＰの［ＢＳＳＩＤ，設置場所種別，平均混雑率］のリストの通知を受ける。
【００３９】
−ＳＴＥＰ２：アクセス選択機能は、上記取得したリストおよび自移動網にて管理するユーザ情報を参照して、各ＡＰについて、端末がＡＰに接続要求メッセージを送出する際の無線パラメータの一つである最小ＣＷ値（以下、ＣＷｍｉｎ）を端末毎に決定する。具体的な方法の例示は以下の通り。
【００４０】
・ＳＴＥＰ２−１：アクセス選択機能は、あるＢＳＳＩＤを有するＡＰについて、設置場所種別、平均混雑率に基づき、端末に設定するｎ値の基準値（以下、ｎ基準値）を設定する。具体的には、以下の通り。
【００４１】
−平均混雑率が０％以上１０％未満であればｎ基準値＝１、１０％以上２０％未満であれば、ｎ基準値＝２…とする。
【００４２】
−設置場所に応じて、ＣＷｍｉｎ値のパターンの数を決定する（例：設置場所が駅ホームの場合は、ＣＷｍｉｎ値のパターンを３つ設ける、商店であれば、ＣＷｍｉｎ値のパターンを２つ設ける。）。
【００４３】
・ＳＴＥＰ２−２：アクセス選択機能は、自網のユーザ情報を参照し、ＳＴＥＰ２−１で設けたＣＷｍｉｎ値のパターンの数に端末のグループを分割し、それぞれのグループに対して上記ｎ基準値を基にｎ値を決定する（例１：ゴールド会員に対してはｎ値＝ｎ基準値とし、シルバー会員に対してはｎ値＝ｎ基準値＋１とし、ブロンズ会員に対してはｎ値＝ｎ基準値＋２とする。例２：ユーザ情報を月間通信上限容量と現在消費量の差の値でソートし１／３ずつ分割、上位からｎ値の値をｎ基準値、ｎ基準値＋１、ｎ基準値＋２、とする。）。
【００４４】
・ＳＴＥＰ２−３：アクセス選択機能は、上記ＳＴＥＰ２−２で決定したｎ値を用いて、ＣＷｍｉｎの値を、ＣＷｍｉｎ＝２＾ｎ−１として算出する。
【００４５】
−ＳＴＥＰ３：アクセス選択機能は、上記ＳＴＥＰ２のように端末ごとに決定した、図６に示すような接続ポリシを各端末に配布する。
【００４６】
＞シーケンス：端末接続時の接続ポリシ適用の動作
−ＳＴＥＰ１：端末は、≪構成技術２≫において接続ポリシ適用が決定したＡＰのＢＳＳＩＤをキーに、配布済み接続ポリシからＣＷｍｉｎ値を抽出する。
【００４７】
−ＳＴＥＰ２：接続要求メッセージの送出時の無線パラメータとして、ＣＷの初期値を前記ＳＴＥＰ１で抽出したＣＷｍｉｎ値以上の値に設定し、無線ＬＡＮ  ＡＰへの接続を実施し、本シーケンスを終了する。
【００４８】
・ただしこのとき、ＳＴＥＰ１で抽出したＣＷｍｉｎの値が大きすぎて物理層の制限（例えば１０２３まで、など）に抵触する場合においては、制限内に収まる最大の値とする。
【００４９】
≪方式２−１≫ＡＰ報知ＢＬＥ値方式
＞前提
−アクセス選択機能における端末へのＢＬＥ上限値の通知シーケンスと、ＡＰ圏内に端末が到着した際の動作シーケンスについて、説明する。
【００５０】
−なお、アクセス選択機能における端末へのＢＬＥ上限値の通知シーケンスは、≪構成技術１≫におけるアクセス選択機能における接続ポリシ生成シーケンスと同時に行い、同一のメッセージにて端末に通知をおこなってもかまわない。
【００５１】
−ＩＥＥＥ  ８０２．１１ｅにおいては、ＡＰの負荷状況を示す値として、BSS Load ElementあるいはQBSS Load Elementが規定されており、0〜255の値をとる。本明細書では、これをＢＬＥ値と記す。
【００５２】
−≪構成技術１≫に示す方式により、アクセス選択機能は接続ポリシを生成し、端末に配布済みとする。
【００５３】
＞シーケンス：移動網内アクセス選択機能から端末へのＢＬＥ上限値の通知（定期的に実施）
−ＳＴＥＰ１：アクセス選択機能は、無線ＬＡＮ内ＡＰ情報通知機能から、ＡＰのＢＳＳＩＤとＢＬＥ上限値のリストを取得する。
【００５４】
−ＳＴＥＰ２：アクセス選択機能は、図７に示すような、上記ＢＳＳＩＤとＢＬＥ上限値のリストを端末に通知する。
【００５５】
＞シーケンス：ＡＰ圏内に端末が到着した際の動作
−ＳＴＥＰ１：ＡＰ１は、常にビーコンを発している。このビーコンは、ＢＬＥ値を含む。
【００５６】
−ＳＴＥＰ２：端末は、ＡＰ１の圏内に入り、ビーコンを受信すると、受信したビーコンからＡＰ１のＢＳＳＩＤとＢＬＥ値を抽出し、このＢＳＳＩＤをキーに上記ＢＳＳＩＤとＢＬＥ上限値のリストを検索し、ＢＬＥ上限値の値を抽出する。次に、ＢＬＥ値とＢＬＥ上限値の値と比較する。「ビーコンのＢＬＥ値」＜「ＢＬＥ上限値」であれば、≪構成技術１≫に示される接続ポリシ適用を行わずに無線ＬＡＮ  ＡＰへの接続を実施し、本シーケンスを終了する。
【００５７】
−ＳＴＥＰ３：ＳＴＥＰ２において、「ビーコンのＢＬＥ値」＞「ＢＬＥ上限値」であれば、≪構成技術１≫に示される接続ポリシ適用を行った無線ＬＡＮ  ＡＰへの接続を実施し、本シーケンスを終了する。
【００５８】
≪方式２−２≫端末によるＰｒｏｂｅ観察方式
＞前提
−端末がＰｒｏｂｅ観察を行う動作シーケンスと、ＡＰ圏内に端末が到着した際の動作シーケンスについて、説明する。
【００５９】
−≪構成技術１≫に示す方式により、アクセス選択機能は接続ポリシを生成し、端末に配布済みとする。
【００６０】
＞シーケンス：端末がＰｒｏｂｅ観察を行う動作（周辺端末数の推定の為に常に実施）
−ＳＴＥＰ１：端末は、他の周辺端末がアクティブスキャンを実施する際に送出するプローブ要求を観測した際には、図８に示すような、プローブ要求に含まれる端末ＩＤ（ＭＡＣアドレス）と観測時刻を自端末内のテーブルとして記憶する。
【００６１】
＞シーケンス：ＡＰ圏内に端末が到着した際の動作
−ＳＴＥＰ１：ＡＰ１は、常にビーコンを発している。
【００６２】
−ＳＴＥＰ２：端末は、ＡＰ１の圏内に入ると、端末は上記テーブルを検索し、過去一定時間（例えば３分）に観測したプローブ要求を発信した端末の数を数える。この数が一定値（例えば20）以下であれば、≪構成技術１≫に示される接続ポリシ適用を行わずに無線ＬＡＮ  ＡＰへの接続を実施し、本シーケンスを終了する。
【００６３】
−ＳＴＥＰ３：ＳＴＥＰ２において、過去一定時間に観測したプローブ要求を発信した端末の数が一定値以上であれば、≪構成技術１≫に示される接続ポリシ適用を行った無線ＬＡＮ  ＡＰへの接続を実施し、本シーケンスを終了する。
【００６４】
≪方式２−３≫設置場所属性情報方式
＞前提
−アクセス選択機能から端末への設置場所属性情報の通知を行う動作シーケンスと、ＡＰ圏内に端末が到着した際の動作シーケンスについて説明する。
【００６５】
−≪構成技術１≫に示す方式により、アクセス選択機能は接続ポリシを生成し、端末に配布済みとする。
【００６６】
−端末には、ユーザによるアプリケーション操作などにより上記接続ポリシを適用するＡＰ設置場所属性のリストが登録されているものとする。
【００６７】
＞シーケンス：移動網内アクセス選択機能から端末への設置場所属性情報の通知（定期的に実施）
−ＳＴＥＰ１：アクセス選択機能は、無線ＬＡＮ内ＡＰ情報通知機能から、ＡＰのＢＳＳＩＤと設置場所属性情報のリストを取得する。
【００６８】
−ＳＴＥＰ２：アクセス選択機能は、図９に示すような、上記ＢＳＳＩＤと設置場所属性情報のリストを端末に通知する。
【００６９】
・なお、設置場所属性情報のリストは、前回通知時からのアップデート分のみとすることでデータサイズを小さくすることも可能である。
【００７０】
＞シーケンス：ＡＰ圏内に端末が到着した際の動作
−ＳＴＥＰ１：ＡＰ１は、常にビーコンを発している。
【００７１】
−ＳＴＥＰ２：端末は、ＡＰ１の圏内に入り、ビーコンを受信すると、受信したビーコンからＡＰ１のＢＳＳＩＤを抽出し、このＢＳＳＩＤをキーに上記ＢＳＳＩＤと設置場所属性情報のリストを検索し、当該ＡＰに対応する設置場所属性情報を抽出する。
【００７２】
−ＳＴＥＰ３：端末は、ＳＴＥＰ２において抽出した上記設置場所属性情報が、端末に登録された属性リストに存在しなければ、≪構成技術１≫に示される接続ポリシ適用を行わずに無線ＬＡＮ  ＡＰへの接続を実施し、本シーケンスを終了する。
【００７３】
−ＳＴＥＰ４：ＳＴＥＰ３において、ＡＰの設置場所属性情報が端末に登録された属性リストに存在すれば、≪構成技術１≫に示される接続ポリシ適用を行った無線ＬＡＮ  ＡＰへの接続を実施し、本シーケンスを終了する。
【００７４】
≪方式３−１≫接続ポリシ生成許可調停方式
＞前提
−≪構成技術１≫に示す様に、移動網内アクセス選択機能が接続ポリシの生成を行うとともに、≪構成技術２≫に示す様に、移動網内アクセス選択機能が接続ポリシ適用の有無に関わる情報（ポリシ適用制御情報）の取得を行った際、これらの接続ポリシおよびポリシ適用制御情報を端末に配布することに先立って、下記シーケンスを実行することを前提とする。また、下記シーケンス完了後、≪構成技術１≫および≪構成技術２≫に示す様に接続ポリシおよびポリシ適用制御情報の配布を実施する。
【００７５】
図１０は≪構成技術１≫に従って端末に配布される接続ポリシおよび≪構成技術２≫に従って端末に通知されるポリシ適用制御情報の一例を示すもので、同図（ａ）は過去に許可した接続ポリシとポリシ適用制御情報の例、同図（ｂ）は所定の端末に対する接続ポリシとポリシ適用制御情報の例をそれぞれ示す。
【００７６】
−無線ＬＡＮ内ＡＰ情報通知機能は、図１０（ａ）に示すような、移動網内アクセス選択機能に対して許可した接続ポリシおよびポリシ適用制御情報について一定時間、例えば過去２４時間記憶するものとする。
【００７７】
−本方式は、≪構成技術１≫に含まれる≪方式１−１≫≪方式１−２≫≪方式１−３≫それぞれ、並びに≪構成技術２≫に含まれる≪方式２−１≫≪方式２−２≫≪方式２−３≫それぞれについて適用可能であるが、ここでは≪方式１−１≫並びに≪方式２−１≫に係るアルゴリズムを記載する。
【００７８】
＞シーケンス：アクセス選択機能が生成した接続ポリシに対する決定許可付与
−ＳＴＥＰ１：アクセス選択機能は、図１０（ｂ）に示すような、生成した接続ポリシおよびポリシ適用制御情報をＡＰ情報通知機能に送出し、許可を請う。
【００７９】
−ＳＴＥＰ２：ＡＰ情報通知機能は、受信した接続ポリシに含まれる各ＡＰについて、過去各事業者のアクセス選択機能に通知した接続ポリシのリストを検索し、以下の処理を行う。この処理は、受信した接続ポリシに含まれる各ＡＰについて行い、全てのＡＰについての処理が完了するまで繰り返す。
【００８０】
・ＳＴＥＰ２−１：各移動網事業者に過去許可した接続ポリシをそれぞれ当該ＡＰのＢＳＳＩＤをキーに検索し、当該ＡＰへの接続可否を「Ｙｅｓ」とした比率（以下α）を各移動網事業者毎に算出する。
【００８１】
・ＳＴＥＰ２−２：接続ポリシの生成許可を申請した事業者のαの値が、全事業者のαの平均値より一定以上（例えば１．５倍以上）であり、かつ申請された接続ポリシの当該ＡＰの接続可否が「Ｙｅｓ」であれば、これを「Ｎｏ」に変更する。
【００８２】
−ＳＴＥＰ３：ＡＰ情報通知機能は、更新した接続ポリシをアクセス選択機能に対して返答する。
【００８３】
≪構成技術の組み合わせによる端末接続時の動作例≫
＞前提
−ＡＰ１（ＢＳＳＩＤ＝００：２２：３３：４４：５５：０１）の圏内に端末が到着したシーケンスについて、説明する。
【００８４】
−端末には、既に図１１に示すような接続ポリシおよびポリシ適用制御情報がアクセス選択機能から配布されている前提とする。
【００８５】
−ＡＰ１が報知するビーコン中のＢＬＥ値は120であるとする。
【００８６】
−本説明は、≪構成技術１≫のうち≪方式１−１≫≪方式１−２≫≪方式１−３≫および≪構成技術２≫のうち≪方式２−１≫の組み合わせによる動作例を示す。
【００８７】
＞シーケンス（無線ＬＡＮ  ＡＰに接続するか否かの判断）
−ＳＴＥＰ０：ＡＰ１は、常にビーコンを発している。このビーコンには、ＢＬＥ値を含む。
【００８８】
−ＳＴＥＰ１：端末は、ＡＰ１の圏内に入ると、受信したビーコンからＡＰ１のＢＳＳＩＤとＢＬＥ値を抽出し、このＢＳＳＩＤをキーに配布済みポリシ適用制御情報からＢＬＥ上限値の値を抽出する。次に、ＢＬＥ値とＢＬＥ上限値の値と比較する。「ビーコンのＢＬＥ値」＜「ポリシ運用制御情報中のＢＬＥ上限値」であれば、無線ＬＡＮ  ＡＰへの接続を実施し、本シーケンスを終了する。図１１に示すような接続ポリシおよびポリシ運用制御情報が配布されている場合、ビーコン中のＢＬＥ値（120）はポリシ運用制御情報中のＢＬＥ値（100）より大きいため、ＳＴＥＰ２に進む。
【００８９】
−ＳＴＥＰ２：ＳＴＥＰ１において、「ビーコンのＢＬＥ値」＞「ポリシ運用制御情報中のＢＬＥ上限値」であれば、ＳＴＥＰ１にて受信したビーコンから抽出したＢＳＳＩＤをキーに配布済み接続ポリシから接続可否を抽出する。この値が「Ｎｏ」であれば、無線ＬＡＮ  ＡＰへの接続は行わず、本シーケンスを終了する。図１１に示すような接続ポリシが配布されている場合、ＢＳＳＩＤ＝００：２２：３３：４４：５５：０１の接続可否がＮｏではないため、ＳＴＥＰ３に進む。
【００９０】
−ＳＴＥＰ３：ＳＴＥＰ２において抽出した接続可否が「Ｙｅｓ」であれば、以下のシーケンスを実行する。図１１に示すような接続ポリシが配布されている場合、ＢＳＳＩＤ＝００：２２：３３：４４：５５：０１の接続可否がＹｅｓのため、以下のシーケンスを実行する。
【００９１】
＞シーケンス（無線ＬＡＮ  ＡＰへの接続）
−ＳＴＥＰ４：端末は、ＳＴＥＰ１にて受信したビーコンから抽出したＢＳＳＩＤをキーに配布済み接続ポリシから遅延時間の値およびＣＷｍｉｎの値を抽出する。図１１に示すような接続ポリシが配布されている場合、これらの値はそれぞれ15ｍｓｅｃ、127となる。
【００９２】
−ＳＴＥＰ５：端末は、ＳＴＥＰ４にて取得した遅延時間の値に示される時間、待機する。
【００９３】
−ＳＴＥＰ６：端末は、ＩＥＥＥ８０２．１１の規定に従い無線ＬＡＮ  ＡＰに対して接続要求を送出し、認証を含む接続処理を開始する。ただし、この接続続要求を送出する際、ＩＥＥＥ８０２．１１ＭＡＣレイヤにて指定されるＣＷ値を、最低でもＳＴＥＰ４にて抽出したＣＷｍｉｎの値以上に設定することとする。
【００９４】
図１２に本例における動作フローチャートを示す。
【発明の効果】
【００９５】
従来、端末が無線ＬＡＮ  ＡＰを発見すると自動的にＡＰに接続しに行く場合におこる輻輳は、ＣＳＭＡ／ＣＡ、ＤＣＦなど無線区間における対応に限られており、過剰な数の端末が接続試行した場合、これらの技術では輻輳を解消出来ず、通信サービスが端末に提供できないという問題があった。本発明により、端末の接続試行をＡＰの状況（例えば設置場所や混雑率など）に基づき網側からコントロールすること、また無線区間の接続パラメータ（ＣＷｍｉｎなど）を網側から指定することにより、無線区間で解決出来ない輻輳に対応することが出来る。
【００９６】
また、従来のＡＮＤＳＦでは無線ＬＡＮ  ＡＰへの接続ポリシを端末に配布する際に自事業者が管理する無線ＬＡＮ  ＡＰの情報しか考慮できないが、網間でＡＰの情報を通知することによって異なる事業者が設置している無線ＬＡＮ  ＡＰへの接続をコントロールすることができる。
【００９７】
また、輻輳回避する為に接続試行を抑制する方法においては、単独の端末が抑制を実施するのみでは効果が無い場合が多く、また抑制を行った端末のみが接続の機会を減らし損をすることになるが、輻輳回避の為に無線ＬＡＮ事業者が接続ポリシ生成の調停をすることにより、平等に輻輳を回避することが可能となる。
【図面の簡単な説明】
【００９８】
【図１】構成技術１の概要を示す図
【図２】構成技術２の概要を示す図
【図３】構成技術３の概要を示す図
【図４】構成技術１−１の場合に配布される接続ポリシの一例を示す図
【図５】構成技術１−２の場合に配布される接続ポリシの一例を示す図
【図６】構成技術１−３の場合に配布される接続ポリシの一例を示す図
【図７】構成技術２−１の場合に通知されるＢＬＥ上限値の一例を示す図
【図８】構成技術２−２の場合の端末内のテーブルの一例を示す図
【図９】構成技術２−３の場合に通知される設置場所属性情報の一例を示す図
【図１０】構成技術３−１の場合における接続ポリシおよびポリシ適用制御情報の一例を示す図
【図１１】構成技術の組み合わせの例における接続ポリシおよびポリシ適用制御情報の一例を示す図
【図１２】図１１の例における動作フローチャート
【図１３】本発明の無線通信接続制御システムの第１の実施の形態を示す機能構成の説明図
【図１４】本発明の無線通信接続制御システムの第１の実施の形態を示す動作シーケンスの説明図
【図１５】本発明の無線通信接続制御システムの第２の実施の形態を示す機能構成の説明図
【図１６】本発明の無線通信接続制御システムの第２の実施の形態を示す動作シーケンスの説明図
【発明を実施するための形態】
【００９９】
本明細書においては、下記の２つの実施の形態について説明する。
【０１００】
［第１の実施の形態（パターン１）］
無線ＬＡＮと移動網がそれぞれ１つずつ存在する場合について説明する。無線ＬＡＮや移動網はそれぞれ複数存在しても良いが、これらそれぞれの複数網は独立であり連携しない。
【０１０１】
［第２の実施の形態（パターン２）］
無線ＬＡＮが１つ、移動網が複数存在する場合について説明する。本実施の形態においては特に移動網が２つ存在する場合について記述するが、これに限らず１つまたは３つ以上でも良い。無線ＬＡＮは複数存在しても良いが、これら複数網は独立であり連携しない。
【０１０２】
≪第１の実施の形態≫
《機能構成》
図１３は本発明の無線通信接続制御システムの第１の実施の形態の機能構成を示すもので、図中、１０は移動網、２０は無線ＬＡＮ、３０は外部ネットワーク（インターネット、サービス事業者網など）、４０は移動網１０と契約している端末である。
【０１０３】
移動網１０は、端末４０が当該移動網１０に接続するための無線ＬＡＮ  ＡＰ１１およびセルラ基地局１２を具備する。無線ＬＡＮ  ＡＰ１１は、ビーコン中にＡＰの負荷を示すＢＬＥ値を含めて送出する機能を有する。なお、無線ＬＡＮ  ＡＰ１１およびセルラ基地局１２は具備しなくても良い。また、移動網１０は、無線ＬＡＮ  ＡＰ１１やセルラ基地局１２に接続した端末４０が送受信するパケットを転送するパケット通信網１３を具備する。このパケット通信網１３は、無線ＬＡＮアクセスおよびセルラアクセスの両方を収容しても良いし、個別に収容しても良い。
【０１０４】
また、移動網１０は、コア網内でパケットを転送するルータ１４を具備する。このルータ１４は無線ＬＡＮアクセスおよびセルラアクセスごとに具備しても良いし、同一でも良い。また、移動網１０は、外部ネットワーク３０と接続するための外部接続ゲートウェイ１５を具備する。この外部接続ゲートウェイ１５は、無線ＬＡＮアクセスおよびセルラアクセスごとに具備しても良いし、同一でも良い。また、移動網１０は、契約している端末４０に関する情報である加入者情報を蓄積・管理する加入者データベース（ＤＢ）１６を具備する。
【０１０５】
また、移動網１０は、アクセス選択機能（アクセス選択手段）１７を具備する。
【０１０６】
このアクセス選択機能１７は、
無線ＬＡＮ  ＡＰ１１の情報（例えば設置場所、混雑率、バックホール回線種別など）を収集する機能（なお、収集する方法は、例えばオペレータによる投入、無線ＬＡＮ  ＡＰ１１からのアップデート、端末４０からの通知などが考えられるが、これらに限られない。）と、
無線ＬＡＮ２０から無線ＬＡＮ  ＡＰ情報を取得し、ストアする機能と、
端末４０に対して、無線ＬＡＮ  ＡＰ情報および各無線ＬＡＮ  ＡＰ１１への接続ポリシを配布する機能と、
上記接続ポリシを決定する機能、特に無線ＬＡＮ  ＡＰ情報と加入者ＤＢ１６の情報を照合し、接続ポリシを生成する機能とを含む。
【０１０７】
無線ＬＡＮ２０は、端末４０が当該無線ＬＡＮ２０に接続するための無線ＬＡＮ  ＡＰ２１を具備する。無線ＬＡＮ  ＡＰ２１は、ビーコン中にＡＰの負荷を示すＢＬＥ値を含めて送出する機能を有する。また、無線ＬＡＮ２０は、無線ＬＡＮ  ＡＰ２１に接続した端末４０が送受信するパケットを転送するパケット通信網２２を具備する。
【０１０８】
また、無線ＬＡＮ２０は、コア網内でパケットを転送するルータ２３、外部ネットワーク３０と接続するための外部接続ゲートウェイ２４を具備する。
【０１０９】
また、無線ＬＡＮ２０は、ＡＰ情報通知機能（ＡＰ情報通知手段）２５を具備する。
【０１１０】
このＡＰ情報通知機能２５は、
無線ＬＡＮ  ＡＰ２１の情報（例えば設置場所、混雑率、バックホール回線種別など）を収集する機能（なお、収集する方法は、例えばオペレータによる投入、無線ＬＡＮ  ＡＰ２１からのアップデート、端末４０からの通知などが考えられるが、これらに限られない。）と、
移動網１０に対して、無線ＬＡＮ  ＡＰ情報を通知する機能とを含む。
【０１１１】
端末４０は、
無線ＬＡＮ  ＡＰ１１，２１に接続する機能と、
上記ＡＰへの接続の際、必要に応じて認証を受ける処理を行う機能（この認証は、ＩＤ／パスワード認証（Web認証、EAP-TTLS認証など）、証明書認証（EAP-TLS認証など）、ＳＩＭ認証（EAP-SIM認証、EAP-AKA認証、EAP-AKA’認証など）が考えられるが、これらに限られない。）と、
当該端末４０内に保存した認証情報（例えばＳＩＭ情報）を用いて、移動網ＡＡＡサーバから認証を受ける機能とを具備する。
【０１１２】
《シーケンス》
図１４は本発明の無線通信接続制御システムの第１の実施の形態の動作シーケンスを示すもので、以下、本システムにおける動作を説明する。
【０１１３】
〈定期的な通知プロセス〉
（１）移動網１０のアクセス選択機能１７および無線ＬＡＮ２０のＡＰ情報通知機能２５が、それぞれ自網内の無線ＬＡＮ  ＡＰ情報を収集する（例えば１日に１回）。
【０１１４】
（２）無線ＬＡＮ２０のＡＰ情報通知機能２５から移動網１０のアクセス選択機能１７に対して、無線ＬＡＮ２０の無線ＬＡＮ  ＡＰ情報を通知する（例えば１時間に２回）。このＡＰ情報としては、
−ＡＰのＢＳＳＩＤ、設置事業者、
−設置場所種別、屋内外の区別、
−平均混雑率、
−当該ＡＰに接続可能とする接続ポリシの配布数上限、
などが考えられるが、これに限られない。
【０１１５】
（３）アクセス選択機能１７が加入者ＤＢ１６を参照し、各加入者ごとにカスタマイズ接続ポリシを生成する。
【０１１６】
この接続ポリシ生成のアルゴリズムとしては、
−駅のホーム設置の無線ＬＡＮ  ＡＰには限定優良会員の端末のみに対して接続可能フラグをＹｅｓとする、
−混雑度が70％以上の無線ＬＡＮ  ＡＰには、月間制限通信量の50％を超えているユーザの端末に対してのみ接続可能フラグをＹｅｓとする、
−ＡＰ情報通知機能２５から取得したＡＰ情報の、当該ＡＰに接続可能とする接続ポリシの配布数上限を超えない場合のみ接続可能フラグをＹｅｓとする、
−混雑度が30％以上、50％以上、70％以上の無線ＬＡＮ  ＡＰへの接続ポリシにおいてはＣＷｍｉｎパラメータをそれぞれ7、15、127とする、
などが考えられるが、これに限られない。
【０１１７】
（４）アクセス選択機能１７から端末４０に対して、上記シーケンス（３）にて生成した接続ポリシを配布する（例えば１時間に１回）。
【０１１８】
〈端末接続時のプロセス〉
（５）端末４０が、無線ＬＡＮ事業者の無線ＬＡＮ  ＡＰの圏内に到着する。
【０１１９】
（６）端末４０は、無線ＬＡＮ  ＡＰ２１に接続するか否かを、上記シーケンス（４）にて配布された接続ポリシに基づき判断する。
【０１２０】
（７）端末４０は、上記シーケンス（６）の判断に基づきＡＰ２１に接続する。このとき、接続ポリシの中に例えばＣＷｍｉｎ等の無線区間のパラメータ指定等の接続方法に関する記述があればこれに従う。
【０１２１】
［備考］
機能構成の項で述べたものと同様、シーケンス（１）のＡＰ情報収集は必ずしも無線ＬＡＮ  ＡＰからの通知で行われるものとは限らず、例えばオペレータによる投入や端末からの通知などその他の方法によっても構わない。上記「定期的な通知プロセス」のそれぞれのシーケンスについて、実行のインターバルは必ずしも上記のものに限られない。また、上記の様に、各シーケンスの実行インターバルは必ずしも同一で無くても良い。
【０１２２】
上記シーケンス（３）および（４）については、必ずしも全ての端末４０に対しての処理を同時もしくは連続的に行わなければならないとは限らず、分散しても良い。図１４においては、シーケンス（４）について、アクセス選択機能１７から端末４０への接続ポリシ配布がコア網内で行われているが、これに限られない。例えば、インターネットなどの外部ネットワークを経由しても良い。
【０１２３】
上記シーケンス（６）において、端末４０は配布された接続ポリシのみならず、自端末に登録してあるユーザ設定などに基づきＡＰに接続するか否かを判断しても良い。
【０１２４】
≪第２の実施の形態≫
《機能構成》
図１５は本発明の無線通信接続制御システムの第２の実施の形態の機能構成を示すもので、図中、１０Ａ，１０Ｂは移動網＃１，＃２、２０は無線ＬＡＮ、３０は外部ネットワーク（インターネット、サービス事業者網など）、４０は移動網１０Ａまたは１０Ｂと契約している端末である（なお、本図では加入者ＤＢ、ＡＰ情報の例を省略しているが、実際には第１の実施の形態の場合と同様）。
【０１２５】
移動網１０Ａ，１０Ｂはそれぞれ、端末４０が当該移動網１０Ａまたは１０Ｂに接続するための無線ＬＡＮ  ＡＰ１１およびセルラ基地局１２を具備する。無線ＬＡＮ  ＡＰ１１は、ビーコン中にＡＰの負荷を示すＢＬＥ値を含めて送出する機能を有する。なお、無線ＬＡＮ  ＡＰ１１およびセルラ基地局１２は具備しなくても良い。また、移動網１０Ａ，１０Ｂはそれぞれ、無線ＬＡＮ  ＡＰ１１やセルラ基地局１２に接続した端末４０が送受信するパケットを転送するパケット通信網１３を具備する。このパケット通信網１３は、無線ＬＡＮアクセスおよびセルラアクセスの両方を収容しても良いし、個別に収容しても良い。
【０１２６】
また、移動網１０Ａ，１０Ｂはそれぞれ、コア網内でパケットを転送するルータ１４を具備する。このルータ１４は無線ＬＡＮアクセスおよびセルラアクセスごとに具備しても良いし、同一でも良い。また、移動網１０Ａ，１０Ｂはそれぞれ、外部ネットワーク３０と接続するための外部接続ゲートウェイ１５を具備する。この外部接続ゲートウェイ１５は、無線ＬＡＮアクセスおよびセルラアクセスごとに具備しても良いし、同一でも良い。また、移動網１０Ａ，１０Ｂはそれぞれ、契約している端末４０に関する情報である加入者情報を管理する加入者ＤＢ１６を具備する。
【０１２７】
また、移動網１０Ａ，１０Ｂはそれぞれ、アクセス選択機能１７を具備する。
【０１２８】
このアクセス選択機能１７は、
無線ＬＡＮ  ＡＰ１１の情報（例えば設置場所、混雑率、バックホール回線種別など）を収集する機能（なお、収集する方法は、例えばオペレータによる投入、無線ＬＡＮ  ＡＰ１１からのアップデート、端末４０からの通知などが考えられるが、これらに限られない。）と、
無線ＬＡＮ２０から無線ＬＡＮ  ＡＰ情報を取得し、ストアする機能と、
端末４０に対して、無線ＬＡＮ  ＡＰ情報および各無線ＬＡＮ  ＡＰ１１への接続ポリシを配布する機能と、
上記接続ポリシを決定する機能、特に無線ＬＡＮ  ＡＰ情報と加入者ＤＢ１６の情報を照合し、接続ポリシを生成する機能と、
上記接続ポリシを決定する際に、無線ＬＡＮ２０のＡＰ情報通知機能に対して問い合わせ、無線ＬＡＮ２０のＡＰへの接続を可能とする接続ポリシを生成する許可を得る機能とを含む。
【０１２９】
無線ＬＡＮ２０は、端末４０が当該無線ＬＡＮ２０に接続するための無線ＬＡＮ  ＡＰ２１を具備する。無線ＬＡＮ  ＡＰ２１は、ビーコン中にＡＰの負荷を示すＢＬＥ値を含めて送出する機能を有する。また、無線ＬＡＮ２０は、無線ＬＡＮ  ＡＰ２１に接続した端末４０が送受信するパケットを転送するパケット通信網２２を具備する。
【０１３０】
また、無線ＬＡＮ２０は、コア網内でパケットを転送するルータ２３、外部ネットワーク３０と接続するための外部接続ゲートウェイ２４を具備する。
【０１３１】
また、無線ＬＡＮ２０は、ＡＰ情報通知機能２５を具備する。
【０１３２】
このＡＰ情報通知機能２５は、
無線ＬＡＮ  ＡＰ２１の情報（例えば設置場所、混雑率、バックホール回線種別など）を収集する機能（なお、収集する方法は、例えばオペレータによる投入、無線ＬＡＮ  ＡＰ２１からのアップデート、端末４０からの通知などが考えられるが、これらに限られない。）と、
移動網１０Ａ，１０Ｂに対して、無線ＬＡＮ  ＡＰ情報を通知する機能と、
移動網１０Ａ，１０Ｂのアクセス選択機能１７からの問い合わせに対して、自網のＡＰに接続可能とする接続ポリシを生成する許可を与える機能と、
移動網１０Ａ，１０Ｂに対してする接続ポリシ生成の許可状況をストアする機能と、
を含む。
【０１３３】
端末４０は、
無線ＬＡＮ  ＡＰ１１，２１に接続する機能と、
上記ＡＰへの接続の際、必要に応じて認証を受ける処理を行う機能（この認証は、ＩＤ／パスワード認証（Web認証、EAP-TTLS認証など）、証明書認証（EAP-TLS認証など）、ＳＩＭ認証（EAP-SIM認証、EAP-AKA認証、EAP-AKA’認証など）が考えられるが、これらに限られない。）と、
当該端末４０内に保存した認証情報（例えばＳＩＭ情報）を用いて、移動網ＡＡＡサーバから認証を受ける機能とを具備する。
【０１３４】
《シーケンス》
図１６は本発明の無線通信接続制御システムの第２の実施の形態の動作シーケンスを示すもので、以下、本システムにおける動作を説明する（なお、本図では加入者ＤＢ、ＡＰ情報、配布接続ポリシの例を省略しているが、実際には第１の実施の形態の場合と同様）。
【０１３５】
〈定期的な通知プロセス〉
（１）移動網１０Ａ，１０Ｂのアクセス選択機能１７および無線ＬＡＮ２０のＡＰ情報通知機能２５が、それぞれ自網内の無線ＬＡＮ  ＡＰ情報を収集する（例えば１日に１回）。
【０１３６】
（２）無線ＬＡＮ２０のＡＰ情報通知機能２５から移動網１０Ａ，１０Ｂのアクセス選択機能１７に対して、 無線ＬＡＮ２０の無線ＬＡＮ  ＡＰ情報を通知する（例えば１時間に２回）。このＡＰ情報としては、
−ＡＰのＢＳＳＩＤ、設置事業者、
−設置場所種別、屋内外の区別、
−平均混雑率、
−当該ＡＰに接続可能とする接続ポリシの配布数上限、
などが考えられるが、これに限られない。
【０１３７】
（３）アクセス選択機能１７が加入者ＤＢ１６を参照し、各加入者ごとにカスタマイズ接続ポリシを生成する。
【０１３８】
この接続ポリシ生成のアルゴリズムとしては、
−駅のホーム設置の無線ＬＡＮ  ＡＰには限定優良会員の端末のみに対して接続可能フラグをＹｅｓとする、
−混雑度が70％以上の無線ＬＡＮ  ＡＰには、月間制限通信量の50％を超えているユーザの端末に対してのみ接続可能フラグをＹｅｓとする、
−ＡＰ情報通知機能２５から取得したＡＰ情報の、当該ＡＰに接続可能とする接続ポリシの配布数上限を超えない場合のみ接続可能フラグをＹｅｓとする、
−混雑度が30％以上、50％以上、70％以上の無線ＬＡＮ  ＡＰへの接続ポリシにおいてはＣＷｍｉｎパラメータをそれぞれ7、15、127とする、
などが考えられるが、これに限られない。
【０１３９】
（４）生成したカスタマイズ接続ポリシに自移動網事業者の管理しない無線ＬＡＮ  ＡＰへの接続ポリシが含まれる場合には、当該ＡＰを管理する無線ＬＡＮ２０のＡＰ情報通知機能２５に対して、接続ポリシ生成の許可を問い合わせる。ＡＰ情報通知機能２５は、自らが管理しているこれまでの許可状況やシーケンス（１）にて収集したＡＰ情報、その他SO投入された情報を参照し、移動網１０Ａまたは１０Ｂのアクセス選択機能１７に対して接続ポリシ生成の可否を決定し返答する。
【０１４０】
この決定アルゴリズムとしては、
−当該ＡＰに接続可能とする接続ポリシの配布数上限に達して居ない場合のみ接続ポリシ生成の許可を決定する、
−複数の各移動網が管理する端末の、直近２４時間以内の接続状況を比較し、母数に対する接続数の比率あるいは接続数の絶対値を比較し、平均値の２倍を上回る移動網の端末に対しては（たとえ接続ポリシの配布数上限に達して居なくても）接続ポリシ生成を棄却する、
−直近２４時間以内の接続ポリシ配布許可状況を参照し、それら接続ポリシに含まれる無線区間のパラメータを参照し接続ポリシ生成の許可を決定する。具体的には、例えばある移動網の管理する端末に対して生成された接続ポリシのＣＷｍｉｎの値の平均値がその他の移動網の管理する端末に対して生成された接続ポリシのＣＷｍｉｎの平均値を下回る場合、このＣＷｍｉｎの平均値を下回るＣＷｍｉｎの値を含む接続ポリシの生成を棄却する、
などが考えられるが、これに限られない。
【０１４１】
（５）無線ＬＡＮ２０のＡＰ情報通知機能２５から接続ポリシ生成の許可を受けた移動網のアクセス選択機能１７は、接続ポリシ生成を決定する。
【０１４２】
（６）アクセス選択機能１７から端末４０に対して、上記シーケンス（５）にて決定した接続ポリシを配布する（例えば１時間に１回）。
【０１４３】
〈端末接続時のプロセス〉
（７）端末４０が、無線ＬＡＮ事業者の無線ＬＡＮ  ＡＰの圏内に到着する。
【０１４４】
（８）端末４０は、無線ＬＡＮ  ＡＰ２１に接続するか否かを、上記シーケンス（６）にて配布された接続ポリシに基づき判断する。
【０１４５】
（９）端末４０は、上記シーケンス（８）の判断に基づきＡＰ２１に接続する。このとき、接続ポリシの中に例えばＣＷｍｉｎ等の無線区間のパラメータ指定等の接続方法に関する記述があればこれに従う。
【０１４６】
［備考］
機能配備の項で述べたものと同様、シーケンス（１）のＡＰ情報収集は必ずしも無線ＬＡＮ  ＡＰからの通知で行われるものとは限らず、例えばオペレータによる投入や端末からの通知などその他の方法によっても構わない。上記「定期的な通知プロセス」のそれぞれのシーケンスについて、実行のインターバルは必ずしも上記のものに限られない。また、上記の様に、各シーケンスの実行インターバルは必ずしも同一で無くても良い。
【０１４７】
上記シーケンス（３）および（４）、（５）、（６）については、必ずしも全ての端末４０に対しての処理を同時もしくは連続的に行わなければならないとは限らず、分散しても良い。図１６においては、シーケンス（６）について、アクセス選択機能１７から端末４０への接続ポリシ配布がコア網内で行われているが、これに限られない。例えば、インターネットなどの外部ネットワークを経由しても良い。
【０１４８】
上記シーケンス（８）において、端末４０は配布された接続ポリシのみならず、自端末に登録してあるユーザ設定などに基づきＡＰに接続するか否かを判断しても良い。ただし、配布された接続ポリシにアクセス選択機能の決定がユーザ設定に優先する情報を含める等の手段により配布接続ポリシを強制しても良い。
【０１４９】
上記シーケンス（４）において、無線ＬＡＮ２０のＡＰ情報通知機能２５が過去の接続状況や接続ポリシ配布許可状況を参照する際、無線ＬＡＮ  ＡＰ全体のデータを参照しても特定のＡＰのみのデータを参照してもかまわない。
【符号の説明】
【０１５０】
１０，１０Ａ，１０Ｂ：移動網、１１：無線ＬＡＮ  ＡＰ、１２：セルラ基地局、１３：パケット通信網、１４：ルータ、１５：外部接続ゲートウェイ、１６：加入者データベース、１７：アクセス選択機能、２０：無線ＬＡＮ、２１：無線ＬＡＮ  ＡＰ、２２：パケット通信網、２３：ルータ、２４：外部接続ゲートウェイ、２５：ＡＰ情報通知機能、３０：外部ネットワーク、４０：端末。
【先行技術文献】
【非特許文献】
【０１５１】
【非特許文献１】IEEE 802.11 Wireless LANs、≪ｏｎｌｉｎｅ≫、IEEE STANDARDS ASSOCIATION、平成２６年２月３日、≪平成２６年２月３日検索≫、インターネット＜ＵＲＬ：http://standards.ieee.org/about/get/802/802.11.html＞
【非特許文献２】８０２．１１無線ネットワーク管理、Ｏ’Ｒｅｉｌｌｙ  Ｊａｐａｎ，Ｉｎｃ．、２００３年９月、pp.32-42
【非特許文献３】Android スマートフォン／タブレットのＷｉ−Ｆｉ設定方法、≪ｏｎｌｉｎｅ≫、株式会社ＮＴＴドコモ、≪平成２６年２月３日検索≫、インターネット＜ＵＲＬ：https://www.nttdocomo.co.jp/service/data/docomo#wifi/usage/android/index.html＞
【非特許文献４】3GPP specification: 23.402、≪ｏｎｌｉｎｅ≫、３ｇｐｐ  ｏｒｇ．、≪平成２６年２月３日検索≫、インターネット＜ＵＲＬ：http://www.3gpp.org/DynaReport/23402.htm＞
【非特許文献５】3GPP specification: 24.312、≪ｏｎｌｉｎｅ≫、３ｇｐｐ  ｏｒｇ．、≪平成２６年２月３日検索≫、インターネット＜ＵＲＬ：http://www.3gpp.org/DynaReport/24312.htm＞
【図１】
0006052898.tif 000002
【図２】
0006052898.tif 000003
【図３】
0006052898.tif 000004
【図４】
0006052898.tif 000005
【図５】
0006052898.tif 000006
【図６】
0006052898.tif 000007
【図７】
0006052898.tif 000008
【図８】
0006052898.tif 000009
【図９】
0006052898.tif 000010
【図１０】
0006052898.tif 000011
【図１１】
0006052898.tif 000012
【図１２】
0006052898.tif 000013
【図１３】
0006052898.tif 000014
【図１４】
0006052898.tif 000015
【図１５】
0006052898.tif 000016
【図１６】
0006052898.tif 000017